【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
透析システムであって：
ディスプレイデバイス；および
該透析システム中に埋込まれるウェブブラウザーおよびウェブサーバーであって、該ディスプレイデバイスと作動し：
オペレーター入力を必要とする、複数の透析治療のセットアップ手順スクリーンを表示し、そして
少なくとも実質的にリアルタイムで、該透析治療における少なくとも１つの工程の進行をグラフによって示す、複数の透析処置スクリーンを表示する、ウェブブラウザーおよびウェブサーバーを備える、透析システム。
【請求項２】
前記透析治療のセットアップ手順スクリーンと作動するように構成された、少なくとも１つの入力デバイスを含む、請求項１に記載の透析システム。
【請求項３】
前記入力デバイスが、タッチスクリーンのシミュレーション領域である、請求項２に記載の透析システム。
【請求項４】
前記入力デバイスが：プッシュボタン、回転可能なノブおよびそれらの任意の組み合わせからなる群から選択される、請求項１に記載の透析システム。
【請求項５】
前記セットアップ手順スクリーンが、前記透析治療をセットアップする際に用いられる、少なくとも１つの画像類似装置を表示するように構成されている、請求項１に記載の透析システム。
【請求項６】
前記セットアップ手順スクリーンが、前記オペレーターによってとられた行為を描写する少なくとも１つの動画を表示するように構成されている、請求項１に記載の透析システム。
【請求項７】
前記セットアップ手順スクリーンが、前記オペレーターによってとられた衛生学的用心を描写する少なくとも１つの画像を表示するように構成されている、請求項１に記載の透析システム。
【請求項８】
前記セットアップ手順スクリーンの少なくとも１つが、前記オペレーターが該スクリーンによって提供されるプロンプトを選択するまで表示されるように構成されている、請求項１に記載の透析システム。
【請求項９】
前記セットアップ手順スクリーンが、光の存在下で眺めるための色である、請求項１に記載の透析システム。
【請求項１０】
前記透析処置スクリーンが、低減された光で眺めるための色である、請求項１に記載の透析システム。
【請求項１１】
前記透析処置スクリーンの少なくとも１つが：数値データ、図表データおよびそれらの組み合わせからなる群から選択される形態にある治療状況情報を含む、請求項１に記載の透析システム。
【請求項１２】
前記透析デバイスおよび埋込まれたウェブブラウザーがさらに作動して、複数の透析治療パラメーター調節スクリーンを表示するように構成されている、請求項１に記載の透析システム。
【請求項１３】
前記透析治療パラメーター調節スクリーンがパラメーターのカテゴリーを含み、前記オペレーターがカテゴリーを選択し、そして次に選択されたカテゴリーからパラメーターを選択することが可能であるように構成されている、請求項１２に記載の透析システム。
【請求項１４】
ポータブル腹膜透析システムのためのグラフィカルユーザーインターフェースシステムであって：
ディスプレイデバイス；
該ディスプレイデバイスと作動可能であり、複数の腹膜透析治療スクリーンを表示するプロセッサー；および
該プロセッサーと、該腹膜透析治療スクリーンの１つ上に、該腹膜透析治療スクリーンによって初期には表示されていない、少なくとも１つの作動する透析パラメーターが表示されるように作動可能なアナログ入力デバイス、を備える、グラフィカルユーザーインターフェースシステム。
【請求項１５】
前記プロセッサーと作動可能であり、前記腹膜透析治療スクリーンの１つによって表示される腹膜透析治療工程が終了したことを示す入力デバイスをさらに含む、請求項１４に記載のグラフィカルユーザーインターフェース。
【請求項１６】
前記プロセッサーと作動可能であり、前記腹膜透析治療を停止する入力デバイスを含む、請求項１４に記載のグラフィカルユーザーインターフェース。
【請求項１７】
前記プロセッサーと作動可能であり、先に表示された治療スクリーンの１つを表示する入力デバイスを含む、請求項１４に記載のグラフィカルユーザーインターフェース。
【請求項１８】
前記プロセッサーと作動可能であり、複数の異なるセットのスクリーンのセットの１つの表示を制御し、該複数のセットが機能性によって該スクリーンを分類するように構成された複数の入力デバイスを含む、請求項１４に記載のグラフィカルユーザーインターフェース。
【請求項１９】
前記スクリーンのセットが、治療セットアップおよび表示セットアップ、治療パラメーター調節セットおよび治療ログセットを含む、請求項１８に記載のグラフィカルユーザーインターフェース。
【請求項２０】
医療流体システムであって：
ディスプレイデバイス；および
該ディスプレイデバイスと作動する、該医療流体システム中に埋込まれたウェブブラウザー：
該医療用システム中に記憶された器具アクセスおよび制御ソフトウェア；および
該器具アクセスおよび制御ソフトウェアが、該埋込まれたウェブブラウザーと通信することを可能にするように構成された中間ソフトウェア、を備える、医療流体システム。
【請求項２１】
前記ウェブブラウザーが、第１のプロセッサー上で稼動し、かつグラフィカルインターフェーススクリーンの表示を制御するように構成されており、そして前記器具アクセスおよび制御ソフトウェアが該第１のプロセッサーおよび少なくとも第２のプロセッサー上で稼動し、そして前記医療流体システムの複数の器具を制御するように構成されている、請求項２０に記載のシステム。
【請求項２２】
前記医療流体システムのユーザーによって前記ウェブブラウザー中に入力された情報を受容しかつ処理するように構成された、前記医療流体システム中に埋込まれたウェブサーバーを含む、請求項２０に記載のシステム。
【請求項２３】
前記中間ソフトウェアが、前記器具アクセスおよび制御ソフトウェアと前記埋込まれたウェブブラウザーとの間をインターフェースするように構成された、事象取り扱いソフトウェアを含む、請求項２０に記載のシステム。
【請求項２４】
ポータブルの内蔵式医療用システムであって：
ディスプレイデバイス；
第１のカラー化を有する複数の手順セットアップスクリーン；および
第２のカラー化を有する複数の手順治療処置スクリーン、を備える、システム。
【請求項２５】
前記第２のカラー化が、黒の背景および赤のグラフィクスを含む、請求項２４に記載のシステム。
【請求項２６】
透析処置を受ける患者とグラフィックにより相互作用する方法であって、以下の工程：
複数の透析治療セットアップ手順スクリーンを表示する工程；
該スクリーンによって進行するために該患者による入力を要求する工程；
セットアップ手順が終了した後に、透析治療における工程をグラフフックにより示し、そして該透析処置スクリーンによって進行するために該患者による入力を要求しない、複数の透析処置スクリーンを表示する工程；および
透析治療セッションが終了した後、複数の切断スクリーンを表示し、そして該切断スクリーンにより進行するために該患者による入力を要求する工程、を包含する、方法。
【請求項２７】
前記セットアップスクリーンを表示する工程が、前記患者が少なくとも１つの流体ライン接続をするように促すことを含む、請求項２６に記載の方法。
【請求項２８】
前記透析処置スクリーンを表示する工程が、少なくとも１つの透析充填サイクル、滞留サイクルおよび排液サイクルを表示することを含む、請求項２６に記載の方法。